(57)【要約】【課題】クリップに挟んだ衣類を外す時に挟みレバーの先端部に衣類がひっかからない様にして、衣類が外し易くなる様にする。【解決手段】逆Ｕ字形又は略逆Ｕ字形のフレーム１とその内側の空間に回動可能に備えられた挟みレバー４とを有するクリップにおいて、挟みレバー４の先端部の上側にひっかかり防止部材５を備えると共にこのひっかかり防止部材５に近接する近接部６を備え、かつひっかかり防止部材５は近接部６に接近した状態で動く様に構成する。【選択図】図１
2014184109.tif 000002
【特許請求の範囲】
【請求項１】
逆Ｕ字形又は略逆Ｕ字形のフレームと、このフレームの内側の空間に回動可能に備えられた挟みレバーとを有し、この挟みレバーはバネ部材により閉じる方向に閉トルクを与えられたクリップにおいて、前記挟みレバーの先端部の上側にひっかかり防止部材を備えると共にこのひっかかり防止部材に近接する近接部を備え、かつ前記ひっかかり防止部材は前記近接部に接近した状態で動く様に構成した事を特徴とするクリップ。
【請求項２】
一対のクリップを備え、各々のクリップの挟みレバーを互いに連結する連結部材を備えた請求項１記載のクリップ。
【発明の詳細な説明】
【技術分野】
【０００１】  本発明はズボン、スカート、更には各種洗濯物などの衣類を吊り下げる為のクリップに係わり、挟みレバーの先端部が衣類にひっかからない様にしたクリップに関するものである。
【背景技術】
【０００２】  ズボン、スカート、各種洗濯物などの衣類を吊り下げる為のクリップは代表的なものに洗濯物を干す時に使う洗濯バサミがあるが、これは片手で衣類を持ちながらもう一方の手で洗濯バサミを開く必要があり、その必要がないクリップとしては図２（イ）に示すものが提案されている。これは図２（イ）の様に（略）逆Ｕ字形のフレーム１とこのフレーム１の内側の空間に回動中心軸３を中心に回動する挟みレバー４を有するもので（挟みレバー４は図示しないねじりコイルスプリングなどのバネ部材により閉じる方向に弱い閉鎖トルクを与えられている）、衣類を両手でピンと張ってそれで挟みレバー４を押し上げれば（押し上げ力は弱くて良い）フレームの挟み部２との間に挟んで保持する事ができる。
この時、挟みレバー４の閉鎖トルクは弱いが、一旦挟んだ衣類がずり落ち様とすると挟みレバー４が下方へ回動し、挟み部２との間の間隔が小さくなるので、挟み力が増し、保持力は強力なものになる。尚、挟みレバー４に閉鎖トルクを与えるバネ部材は、図２（ハ）の様に挟みレバー４の根本部を薄肉にして、この薄肉部をバネ部材として使う事もできる。さて以上のクリップにおいてはクリップに挟んだ衣類は図２（ロ）の様に自重により挟みレバー４の先端部に垂れ下ってまとわり付く事がしばしば起り、挟みレバー４を開いて衣類を外そうとして下方へ引くと、これに引っかかってうまく外れない欠点があった（衣類が薄いもの程、ひっかかり易い）。
【発明の開示】
【発明が解決しようとする課題】
【０００３】  本発明の目的は、挟みレバー４の先端部にひっかかり防止部材５を備える事によって、クリップに挟んだ衣類を外す時に挟みレバー４の先端部にひっかからない様にして、衣類が外し易くなる様にするものである。
【課題を解決する為の手段】
【０００４】  本発明は上記目的を達成する為、逆Ｕ字形又は略逆Ｕ字形のフレームとこのフレームの内側の空間に回動可能に備えられた挟みレバーとを有するクリップにおいて、挟みレバーの先端部の上側にひっかかり防止部材を備えるとともに、このひっかかり防止部材に近接する近接部を備え、かつ前記ひっかかり防止部材はフレームに形成された近接部に接近した状態で動く様に構成した。
【発明の効果】
【０００５】  本発明では挟みレバーの先端部にひっかかり防止部材を備えたので、クリップに挟まれた衣類が垂れ下って挟みレバーにまとわり付く事がないから、挟みレバーを開いて衣類を外す時に衣類が挟みレバーにひっかかって外しにくくなる事がなく、スムーズに外せる。
【発明を実施する為の形態】
【０００６】  図１（イ）は本発明によるクリップで、基本的には従来と同じ構造のクリップであるが、挟みレバー４の先端部の上側にひっかかり防止部材５を備えると共にこのひっかかり防止部材５に近接する近接部６を備え、かつ前記ひっかかり防止部材５は近接部６に接近した状態で動く様に構成したところが異なる。以上の構成により、挟み部２と挟みレバー４との間に挟まれた衣類が挟みレバー４の先端部に垂れ下ってもひっかかり防止部材５に倒れて接触するだけであり、従来の図２（ロ）の様に挟みレバー４の先端部にまとわり付かない、為（近接部６によりそれが防がれている）。挟みレバー４を指で押し開いて衣類を下方へ引いてもひっかからずに外す事ができる。尚、挟みレバー４の先端部にゴムの様な摩擦材４ａを備えておくと衣類の保持力を高める事ができる（この摩擦材４ａは挟み部２に備える事もできる）。クリップに挟んだ衣類を外すには挟みレバー４を開けば良く、その為には挟みレバー４を押し上げるか、又は図１（ニ）の様に挟みレバー４を回動中心軸３を越えて延長し、この延長した部分４ｂを矢印の如く下方へ押し下げれば良い。図１（イ）ではひっかかり防止部材５の外周面と近接部６とが近接する様に構成したが、図１（ロ）の様にひっかかり防止部材５の内周面と近接部６とが近接する様に構成する事も考えられる。図１（ハ）に示す本発明によるクリップは図１（イ）のフレーム１の上部の幅を縮小して、ひっかかり防止部材５がフレームに形成された穴７を通過する様に構成したものであり、穴７の壁面が図１（イ）の近接部６に相当する（ひっかかり防止部材５は穴７を通過する為、その幅はフレーム１の幅より小さい）。図１（ホ）に示すクリップは挟みレバー４′を互いに対向させて一対備えたものであり、１′はフレーム、５′はひっかかり防止部材、７′は近接部である。
【０００７】  次に本発明によるクリップの適用例を説明する。図３（イ）は本発明によるクリップ、例えば図１（ハ）のクリップを支持棒８の両端部に備えたズボンハンガーを示すもので（１はそのクリップのフレームを示す）、ズボン（又はスカート）を両手でピンと張ってクリップに押し込めば、挟み部２と挟みレバー４との間に挟まれ保持される。ズボンをピンと張ってクリップに押し込む時にクリップが上方へ動くのを防ぐ為、フック９を掛ける竿にフック９が押圧されて固定される押圧レバー１１が備えられている。フック９を竿でなく壁に打ち込んだ釘に掛ける場合は、穴１０を使うと良い。クリップからズボンを外す時は図１（ハ）において矢印の様に２本の指で挟みレバー４を挟んで押して、挟みレバー４を開いて外す。図１（ニ）のクリップを使う場合は図３（ニ）の様に左右のクリップの挟みレバー４（正確には回動中心軸３を越えて延長した部分４ｂ）を互いに連結する連結部材１７（紐、鎖、棒の様なもの）を備え、この連結部材１７を矢印の如く押し下げれば左右のクリップの挟みレバー４が同時に開いて衣類を外す事ができる。フック９を竿に押圧して固定する押圧レバー１１のもう１つの実施例を図３（ロ）に示し、更にもう１つの実施例を図３（ハ）に示す（１２は押圧レバーで、それ自体の弾性によりバネの様に押圧力を発揮するものである）。図３（ホ）は本発明によるクリップ（例えば図１（ハ）のもの）を両端部に備えた支持棒８を多数支持枠１３、１４に連結させた多連装ハンガーを示すもので、使い方は図３（イ）で述べた通りであり、タオル、Ｙシャツなどの洗濯物を干すものである（Ｙシャツは首の部分を下にしてクリップに挟む）。支持枠１３を固定して支持枠１４を動かせば四節回転機構により両者は接近し、かつ各々の支持棒８も接近するので、コンパクトに収納する事ができる。図３（ヘ）は洗濯バサミ１６を多数有する洗濯ハンガーの枠１５に例えば図１（ハ）のクリップを備えたもので、使い方は図３（イ）で説明した通りである。同様にタオル、Ｙシャツ、Ｔシャツなどをクリップに押し込むだけで簡単に吊す事ができる。尚、図１（ニ）の様に回動中心軸３を越えて延長した部分４ｂを有する挟みレバー４は図１（イ）、（ロ）、（ホ）のクリップにも備える事ができる。更には図２（イ）の従来のクリップにも備える事ができるが、この場合、図３（ニ）の如く左々のクリップを連結する連結部材１７を備える事もできる。尚、以上の連結部材１７は図３（ト）の如く挟みレバー４に備える事もでき、この場合、クリップを開くには連結部材１７を矢印の如く押し上げる事になる。
【図面の簡単な説明】
【０００】
【図１】  本発明によるクリップを示す図。
【図２】  従来のクリップを示す図。
【図３】  本発明によるクリップの各種実施例を示す図。
【符号の説明】１・１′はフレーム、２は挟み部、３は回動中心軸、４・４′は挟みレバー、５・５′はひっかかり防止部材、６・７は近接部、７′は近接部、８は支持棒、９はフック、１０は穴、１１は押圧レバー、１２は押圧レバー、１３・１４は支持枠、１５は枠、１６は洗濯バサミ、１７は連結部材、４ａは摩擦材、４ｂは挟みレバーの延長した部分である。
【図１】
2014184109.tif 000003
【図２】
2014184109.tif 000004
【図３】
2014184109.tif 000005